(57)【特許請求の範囲】
【請求項１】
抽気供給源から抽気する抽気蒸気の圧力を設定する抽気圧力設定器からの抽気圧力設定値と、抽気蒸気の圧力測定器からの抽気圧力信号との偏差に基づいて抽気加減弁の開度を調整する抽気圧力制御回路を有する蒸気供給プラントの抽気制御装置であって、
抽気流量を設定する抽気流量設定器を具備し、前記抽気流量設定器からの抽気流量設定値と抽気蒸気の流量測定器からの抽気流量信号との偏差に基づいて、前記抽気流量信号が前記抽気流量設定値より小さい場合には前記抽気圧力設定器の抽気圧力設定値を増側に変更し、前記抽気流量信号が前記抽気流量設定値より大きい場合には前記抽気圧力設定器の抽気圧力設定値を減側に変更する制御回路を有することを特徴とする蒸気供給プラントの抽気制御装置。
【請求項２】
前記抽気流量設定器は、複数の抽気供給源から抽気する際のトータル抽気流量を設定するトータル抽気流量設定器であり、
前記トータル抽気流量が得られるように少なくとも一部の前記抽気供給源に抽気流量分配比を割り当てることを特徴とする請求項１に記載の蒸気供給プラントの抽気制御装置。
【請求項３】
前記抽気流量分配比を、前記抽気供給源毎に変更可能とされていることを特徴とする請求項２に記載の蒸気供給プラントの抽気制御装置。
【請求項４】
複数の前記抽気供給源のうちの一部が運転を停止した際に、他の前記抽気供給源の前記抽気流量分配比を変更してトータル抽気流量を維持する分配比自動補正回路を有することを特徴とする請求項３に記載の蒸気供給プラントの抽気制御装置。
【請求項５】
蒸気供給プラントの抽気供給源から抽気する蒸気の抽気流量を制御する抽気制御方法であって、
抽気蒸気の圧力を設定する抽気圧力設定器からの抽気圧力設定値と、抽気蒸気の圧力測定器からの抽気圧力信号との偏差に基づいて抽気加減弁の開度を調整する抽気圧力制御ステップと、
抽気流量を設定する抽気流量設定器からの抽気流量設定値と、抽気蒸気の流量測定器からの抽気流量信号との偏差に基づいて、記抽気流量信号が前記抽気流量設定値より小さい場合には前記抽気圧力設定器の抽気圧力設定値を増側に変更し、前記抽気流量信号が前記抽気流量設定値より大きい場合には前記抽気圧力設定器の抽気圧力設定値を減側に変更する抽気流量制御ステップと、
を有することを特徴とする蒸気供給プラントの抽気制御方法。
【請求項６】
複数の抽気供給源から抽気する際に、トータル抽気流量設定器によってトータル抽気流量を設定するステップと、
前記トータル抽気流量が得られるように少なくとも一部の前記抽気供給源に抽気流量分配比を割り当てるステップと
を有することを特徴とする請求項５に記載の蒸気供給プラントの抽気制御方法。
【請求項７】
前記抽気流量分配比を、前記抽気供給源毎に変更可能とすることを特徴とする請求項６に記載の蒸気供給プラントの抽気制御方法。
【請求項８】
複数の前記抽気供給源のうちの一部が運転を停止した際に、他の前記抽気供給源の前記抽気流量分配比を変更してトータル抽気流量を維持することを特徴とする請求項７に記載の蒸気供給プラントの抽気制御方法。
【発明の詳細な説明】
【技術分野】
【０００１】
本発明の実施形態は、蒸気供給プラントの抽気制御装置及び抽気制御方法に関する。
【背景技術】
【０００２】
蒸気供給プラント、例えば複数台の抽気タービンを有する発電プラントにおける抽気蒸気の供給制御においては、１台の抽気供給源を圧力制御とし、他の抽気供給源を流量制御として、供給先の圧力及び流量をトータルに満足させる方式が一般的である。
【０００３】
上記方式では、複数台の抽気タービンからの抽気により、トータル抽気圧力及びトータル抽気流量を制御する方式であり、個々の抽気タービンの抽気流量は、制御対象となっていない。このため、個々の抽気タービンの抽気流量を個別に制御し、その抽気流量を知りたい要望がある場合に対応することができない。
【０００４】
また、複数の抽気供給源からの抽気蒸気を扱う抽気系において、圧力調節計と、この圧力調節計からの信号に基づいて開閉される減圧弁による抽気圧力の制御に加えて、流量計と、この流量計からの信号に基づいて開閉される減圧弁を設け、蒸気流量の制御を行うことが提案されている。しかしながら、この方法では、新たに流量計及び流量計からの信号に基づいて開閉される減圧弁を設ける必要があり、例えば、既設のプラント等に適用するには、大幅な改造が必要となる。
【先行技術文献】
【特許文献】
【０００５】
【特許文献１】特公平５−６１５２１号公報
【発明の概要】
【発明が解決しようとする課題】
【０００６】
本発明が解決しようとする課題は、既設の蒸気供給プラント等においても、抽気供給源からの抽気流量の制御を容易に実施することのできる蒸気供給プラントの抽気制御装置及び抽気制御方法を提供することにある。
【課題を解決するための手段】
【０００７】
実施形態の蒸気供給プラントの抽気制御装置は、抽気供給源から抽気する抽気蒸気の圧力を設定する抽気圧力設定器からの抽気圧力設定値と、抽気蒸気の圧力測定器からの抽気圧力信号との偏差に基づいて抽気加減弁の開度を調整する抽気圧力制御回路を有する蒸気供給プラントの抽気制御装置であって、抽気流量を設定する抽気流量設定器を具備し、前記抽気流量設定器からの抽気流量設定値と抽気蒸気の流量測定器からの抽気流量信号との偏差に基づいて、前記抽気流量信号が前記抽気流量設定値より小さい場合には前記抽気圧力設定器の抽気圧力設定値を増側に変更し、前記抽気流量信号が前記抽気流量設定値より大きい場合には前記抽気圧力設定器の抽気圧力設定値を減側に変更する制御回路を有する。
【図面の簡単な説明】
【０００８】
【図１】１台の抽気供給源を有する実施形態に係る抽気制御装置及び方法を説明するための蒸気供給プラントの系統図。
【図２】１台の抽気供給源を有する実施形態に係る抽気制御装置の構成を示す図。
【図３】複数の抽気供給源を有する実施形態に係る抽気制御装置及び方法を説明するための蒸気供給プラントの系統図。
【図４】複数の抽気供給源を有する実施形態に係る抽気制御装置の構成を示す図。
【図５】実施形態に係る分配比自動補正回路の構成を示す図。
【図６】多数の抽気供給源を有する実施形態に係る大規模蒸気供給プラントの系統図。
【図７】多数の抽気供給源を有する実施形態に係る大規模蒸気供給プラントにおける抽気制御装置の構成を示す図。
【図８】従来の抽気制御装置及び方法を説明するための蒸気供給プラントの系統図。
【図９】従来の制御装置の構成を示す図。
【発明を実施するための形態】
【０００９】
以下、実施形態に係る蒸気供給プラントの抽気制御装置及び抽気制御方法を、図面を参照して説明する。
【００１０】
先ず、抽気供給源からの抽気蒸気圧力を制御する従来の抽気制御装置及び抽気制御方法について、図８、図９を参照して説明する。
【００１１】
蒸気供給プラント、例えば図８に示すように、抽気タービン１０１によって発電機１０２を回転させて発電を行う蒸気発電プラント１００では、抽気タービン１０１に接続された抽気配管１１０によって、抽気タービン１０１内の蒸気の一部を抽気して抽気蒸気利用先にこの抽気蒸気を送る。
【００１２】
抽気タービン１０１に蒸気を送る主蒸気配管１０３には、主蒸気加減弁１０４が介挿されており、この主蒸気加減弁１０４によって、抽気タービン１０１に送る蒸気の制御を行う。
【００１３】
また、抽気配管１１０には、抽気加減弁１１１が介挿されている。抽気配管１１０の抽気加減弁１１１の下流側には、圧力発信器（圧力検出器）１１２が設けられており、圧力発信器１１２からの抽気圧力信号１は、タービン制御装置１１３の抽気圧力制御回路１１４に入力される。そして、抽気圧力制御回路１１４は、圧力発信器１１２からの抽気圧力信号１に基づき、この抽気圧力が所定の設定値になるように、抽気加減弁開度指令信号２を生成し、抽気加減弁１１１の開度を調整する。
【００１４】
図９に示すように、タービン制御装置１１３の抽気圧力制御回路１１４は、抽気圧力設定器１２０を具備している。そして、減算器にて算出される、抽気圧力設定器１２０から出力される抽気圧力設定値と、圧力発信器１１２からの抽気圧力信号１との偏差に基づいて、ＰＩＤ制御等によって、抽気圧力が抽気圧力設定値となるように、抽気加減弁開度指令信号２を出力して抽気加減弁１１１の開度を調整する。
【００１５】
次に、図１、図２を参照して実施形態に係る抽気制御装置及び抽気制御方法について説明する。なお、図８、図９に示した構成と対応する構成については、同一の符号を付して重複した説明は省略する。
【００１６】
図１に示すように、実施形態の蒸気発電プラント２００では、抽気配管１１０の抽気加減弁１１１及び圧力発信器（圧力検出器）１１２の下流側には、抽気流量を検出するための流量発信器（流量検出器）２０１及び抽気ヘッダー圧力を検出するための圧力発信器（圧力検出器）２０２が設けられている。
【００１７】
また、蒸気発電プラント２００は、抽気制御回路２０４を有する抽気制御装置２０３を具備している。そして、流量発信器２０１からの抽気流量信号３と、圧力発信器２０２からの抽気ヘッダー圧力信号４は、抽気制御装置２０３の抽気制御回路２０４に入力される。そして、抽気制御回路２０４からは、圧力設定増信号５、圧力設定減信号６が出力され、これらの信号が抽気圧力制御回路１１４に入力される構成になっている。
【００１８】
図２は、本実施形態における抽気制御回路２０４及び抽気圧力制御回路１１４の概略構成を示す図である。同図に示すように、抽気制御回路２０４は、抽気流量設定器２０５を具備している。抽気流量設定器２０５は、抽気流量の設定値を変更可能としており、指定された抽気流量の設定値を出力する。また、抽気制御回路２０４には、前述した流量発信器２０１からの抽気流量信号３が入力され、減算器にて抽気流量設定値との偏差が算出される。
【００１９】
減算器にて算出された上記偏差は、負側偏差検出器２０６及び正側偏差検出器２０７に入力される。そして、上記偏差が負、即ち抽気流量信号３が設定値よりも小さい場合は、負側偏差検出器２０６から圧力設定増信号５が出力され、上記偏差が正、即ち抽気流量信号３が設定値よりも大きい場合は正側偏差検出器２０７から圧力設定減信号６が出力される。なお、負側偏差検出器２０６及び正側偏差検出器２０７は、不感帯が設定できるようになっている。
【００２０】
また、前述したとおり、抽気制御回路２０４には、圧力発信器２０２からの抽気ヘッダー圧力信号４が入力される。抽気ヘッダー圧力信号４は、下限圧力検出器２０８及び上限圧力検出器２０９に入力される。そして、抽気ヘッダー圧力信号４が下限圧力以下の場合は圧力設定増信号５が出力され、抽気ヘッダー圧力信号４が上限圧力以上の場合は圧力設定減信号６が出力される。
【００２１】
抽気ヘッダー圧力信号４が、下限圧力及び上限圧力の何れをも超えていない場合（下限圧力と上限圧力の間の圧力値の場合）は、抽気流量設定器２０５からの抽気流量設定値と抽気流量信号３との偏差に基づいて生成された、圧力設定増信号５及び圧力設定減信号６が、抽気圧力制御回路１１４に入力される。そして、所望の抽気流量が得られるように、抽気圧力設定器１２０の圧力設定値が変更される。
【００２２】
一方、抽気ヘッダー圧力信号４が、使用下限圧力以下又は使用上限圧力以上の場合は、負側偏差検出器２０６からの圧力設定増信号５及び正側偏差検出器２０７からの圧力設定減信号６はＡＮＤ回路にて遮断される。そして、使用下限圧力検出器２０８からの圧力設定増信号５、又は使用上限圧力検出器２０９からの圧力設定減信号６が、抽気圧力制御回路１１４に入力されて抽気圧力設定器１２０の圧力設定値が変更される。この場合、抽気ヘッダー圧力が、使用下限圧力と使用上限圧力との間の範囲内となるように、抽気圧力設定器１２０の圧力設定値が変更されて圧力制御が行われる。
【００２３】
以上のように、本実施形態によれば、抽気流量設定器２０５からの抽気流量設定値と抽気流量信号３との偏差に基づいて、抽気圧力制御回路１１４の抽気圧力設定器１２０の圧力設定値を変更することにより、抽気流量の制御を行うことができる。この場合、既設のプラント等においても、新たに制御弁等を設けることなく、流量発信器２０１及び抽気制御装置２０３（抽気制御回路２０４）等の制御系の追加のみで抽気流量の制御を容易に実現することができる。
【００２４】
また、上記実施形態の抽気制御方法は、抽気蒸気の圧力を設定する抽気圧力設定器１２０からの抽気圧力設定値と、圧力発信器１１２からの抽気圧力信号１との偏差に基づいて抽気加減弁１１１の開度を調整する抽気圧力制御ステップ。及び、抽気流量を設定する抽気流量設定器２０５からの抽気流量設定値と、流量発信器２０１からの抽気流量信号３との偏差に基づいて、抽気圧力設定器１２０の抽気圧力設定値を変更する抽気流量制御ステップを有する。これによって、既設のプラント等においても、新たに制御弁等を設けることなく、抽気流量の制御を容易に実現することができる。
【００２５】
次に、図３、図４を参照して、上述した蒸気供給プラントの抽気制御方法及び抽気制御装置を、複数の蒸気発電プラント２００ａ，２００ｂ，２００ｃの抽気タービン１０１ａ，１０１ｂ，１０１ｃからの抽気制御に適用した場合について説明する。なお、図３、図４において、図１、図２に示した構成と対応する部分には、同一の符号が付してある。この場合、各蒸気発電プラント２００ａ，２００ｂ，２００ｃの夫々の抽気配管１１０ａ，１１０ｂ，１１０ｃに、圧力発信器（圧力検出器）１１２ａ，１１２ｂ，１１２ｃ及び流量発信器（流量検出器）２０１ａ，２０１ｂ，２０１ｃが設けられている。また、蒸気発電プラント２００ａ，２００ｂ，２００ｃからの抽気が合流する共通ヘッダーに、ここの圧力を検出するための圧力発信器（圧力検出器）２０２が設けられている。この圧力発信器２０２の抽気ヘッダー圧力信号４は、各抽気制御回路部２０４ａ，２０４ｂ，２０４ｃに入力される。なお、図３、図４においては、簡略化するため、３台の抽気タービン１０１ａ，１０１ｂ，１０１ｃから抽気する場合について示してあるが、抽気蒸気源の数は、３に限定されるものではなく、２又は４以上であってもよい。
【００２６】
図４は、図３に示した蒸気供給プラントにおける制御系の構成を模式的に示すものである。図４に示すように、この制御系は、抽気タービン１０１ａ，１０１ｂ，１０１ｃに対応して、抽気圧力制御回路１１４ａ，１１４ｂ，１１４ｃ及び抽気制御回路部２０４ａ，２０４ｂ，２０４ｃを具備している。この他に、全体の抽気量を制御するための共通抽気制御部３００を具備している。すなわち、この制御系では、各抽気タービン１０１ａ，１０１ｂ，１０１ｃ毎に設けられた抽気制御回路部２０４ａ，２０４ｂ，２０４ｃと、共通抽気制御部３００とによって抽気制御装置が構成されている。なお、図４中縦に記載された破線の左側が抽気制御装置の構成を示しており、右側がタービン制御装置の構成を示している。
【００２７】
共通抽気制御部３００は、抽気タービン１０１ａ，１０１ｂ，１０１ｃからのトータルの抽気流量を所望の値に設定するためのトータル抽気流量設定器３０１を具備している。このトータル抽気流量設定器３０１から出力されるトータル抽気流量設定値には、夫々分配比Ｐ１，Ｐ２，Ｐ３が乗じられ、抽気タービン１０１ａ，１０１ｂ，１０１ｃの夫々の抽気流量設定値７が算出され、これらが抽気制御回路部２０４ａ，２０４ｂ，２０４ｃに入力される。
【００２８】
そして、前述した実施形態の場合と同様に、抽気制御回路部２０４ａ，２０４ｂ，２０４ｃは、共通抽気制御部３００から入力された、夫々の分配比Ｐ１，Ｐ２，Ｐ３が乗じられた抽気流量設定値７に基づいて、抽気圧力制御回路１１４ａ，１１４ｂ，１１４ｃの抽気圧力設定器１２０ａ，１２０ｂ，１２０ｃの圧力設定値を増減し、夫々の抽気加減弁開度示指令信号２により抽気加減弁１１１ａ，１１１ｂ，１１１ｃの開度を調整して抽気タービン１０１ａ，１０１ｂ，１０１ｃからの抽気蒸気流量を調整する。これによって、抽気タービン１０１ａ，１０１ｂ，１０１ｃからのトータル抽気流量が設定値となるように制御が行われる。
【００２９】
次に、図５を参照してユニット分配比自動補正回路について説明する。前述したとおり、複数の抽気供給源からの抽気蒸気のトータル抽気流量が所定量になるよう制御する場合、予め設定された分配比に基づいて、各抽気供給源からの抽気流量が制御される。ユニット分配比自動補正回路は、このような状態において、例えば抽気タービンの一つがトリップしてここからの抽気蒸気が得られなくなったような場合に、残りの各抽気供給源に対する分配比を自動補正して、抽気蒸気のトータル抽気流量を維持できるようにするためのものである。
【００３０】
図５では、総数がｍのユニット（抽気供給源）１，２，３…ｍから抽気を行っている場合の、ユニット１に設けられたユニット分配比自動補正回路５００について示してあるが、この場合、他のユニット２，３…ｍについても、同様な構成のユニット分配比自動補正回路が設けられる。
【００３１】
図５に示す例において、ユニット１の初期分配比はＡ１であり、ユニット分配比自動補正回路５００は、ｍ−１個の選択スイッチＴ２，３…ｍを具備している。選択スイッチＴ２，３…ｍは、夫々加算器に接続されており、選択スイッチＴ２，３…ｍからの出力が、初期分配比Ａ１に加算される。これらの選択スイッチＴ２，３…ｍには、他のユニット２，３…ｍから運転中であるか否かを示す信号が入力され、運転中の場合、各加算器に対して０が出力される。したがって、ユニット１の分配比は、初期分配比Ａ１が維持された状態で運転される。
【００３２】
一方、運転中から運転停止状態になったユニットがある場合、運転停止状態になったユニットについては、対応する選択スイッチＴ２，３…ｍが作動し、補正分配比であるＳ２，３…ｍが加算器に対して出力されるようになる。例えば、ユニット２の抽気タービンがトリップしてここからの抽気蒸気が得られなくなった場合、選択スイッチＴ２が作動し、選択スイッチＴ２から補正分配比Ｓ２が加算器に対して出力される。この、補正分配比Ｓ２が初期分配比Ａ１に対して加算され、これがユニット１の補正後の分配比Ｐ１となる。
【００３３】
ここで、図５に示す補正分配比Ｓ２，３…ｍは、当該ユニット（２，３…ｍ）が停止した際の抽気量バックアップ用補正値である。なお、最終段の選択スイッチＴｍの後段に、増減変化率の上限を設定する変化率制限器５０１が設けられており、増減変化率の上限が制限される。
【００３４】
ユニットＹが停止した場合の、ユニット番号Ｘでの補正分配比Ｓ（Ｙ）は、以下の算出式で算出される（Ｘ，Ｙはユニット番号）。
Ｓ（Ｙ）＝Ａ（Ｙ）×Ａ（Ｘ）／（１−Ａ（Ｙ））
例えば、ユニット１におけるＳ２は、以下の算出式で算出される。
Ｓ２＝Ａ２×Ａ１／（１−Ａ２）
【００３５】
なお、上記説明では、ユニット１の補正後の分配比Ｐ１について説明したが、運転停止となったユニット２以外の他のユニット３…ｍにおいても、同様にして補正後の分配比Ｐ３…ｍが算出される。
【００３６】
図６は、大規模蒸気供給プラントの系統構成の一例を示す図である。同図に示すように、大規模蒸気供給プラントにおいては、例えば、ゴミ焼却施設１からの抽気、複数の抽気復水タービン１〜ｍからの抽気、複数の抽気背圧タービン１〜ｎからの抽気、地熱タービンの熱交換器からの抽気が集められる。そして、集められた蒸気が、例えば、造水プラント（Ｃ−１）、工場送気（Ｃ−２）、地域供給（Ｃ−３）等に送られて使用される。
【００３７】
なお、上記抽気供給源のうち、抽気背圧タービン１〜ｎ及び地熱タービンは、抽気流量が一定の抽気一定運用とされる。一方、ゴミ焼却施設（Ｔ１抽気流量設定値７）、抽気復水タービン１（Ｔ２抽気流量設定値７）……抽気復水タービンｍ（Ｔｍ抽気流量設定値７）の抽気流量は、抽気需要流量によって変動させる抽気変動運用とされている。
【００３８】
このような抽気一定運用及び抽気変動運用を行う際に、上述した実施形態における蒸気供給プラントの抽気制御装置及び抽気制御方法を用いれば、各抽気供給源からの抽気を、流量制御によって行うことができる。なお、各抽気供給源には、流量発信器（流量検出器）ＦＴ−Ｔ１，ＦＴ−Ｔ２，ＦＴ−Ｔ３，ＦＴ−Ｔｍ，ＦＴ−Ｔ４，ＦＴ−Ｔｎ，ＦＴ−Ｔ５等を設けておく必要がある。流量発信器ＦＴ−Ｔ１，ＦＴ−Ｔ２，ＦＴ−Ｔ３，ＦＴ−Ｔｍでは、抽気流量信号（変動運用ユニット分）３が検出される。また、流量発信器ＦＴ−Ｔ４，ＦＴ−Ｔｎ，ＦＴ−Ｔ５では、抽気流量信号（固定運用ユニット分）８が検出される。また、抽気蒸気を使用する造水プラント（Ｃ−１）、工場送気（Ｃ−２）、地域供給（Ｃ−３）にも、流量発信器（流量検出器）ＦＴ−Ｃ１，ＦＴ−Ｃ２，ＦＴ−Ｃ３を設けておく必要がある。流量発信器ＦＴ−Ｃ１，ＦＴ−Ｃ２，ＦＴ−Ｃ３では、抽気流量信号（需要分）９が検出される。
【００３９】
上述したように、各抽気供給源からの抽気を、流量制御によって行うことができるので、抽気流量と抽気を行った時間とから、各蒸気源から抽気した蒸気量を求めることができる。これによって、例えば、各蒸気源を運営する事業者に、抽気蒸気量に応じた料金の支払いが必要とされる場合等にも対応することができる。
【００４０】
図７は、図６に示したような大規模蒸気供給プラントの系統構成において、抽気量を制御する抽気制御装置の概略構成を示すものであり、抽気制御装置は共通抽気制御部７００と、各抽気制御回路部１（２０４ａ）、抽気制御回路部２（２０４ｂ）、……抽気制御回路部ｍ（２０４ｍ）とから構成されている。すなわち、図７中縦に記載された破線の左側が抽気制御装置の構成を示しており、右側がタービン制御装置の構成を示している。なお、図７では、各抽気供給源に設けられた抽気制御回路部のうち、簡略化して３つの抽気制御回路部１，２，ｍのみ図示してある。
【００４１】
図７に示すように、抽気蒸気を使用する造水プラント（Ｃ−１）、工場送気（Ｃ−２）、地域供給（Ｃ−３）等から送信される抽気流量信号（需要分）９は、共通抽気制御部７００の加算器７０１にて合算され、最高値と最低値を制限する制限器７０２を介して出力される。
【００４２】
そして、この出力信号と、トータル抽気流量設定器７０３から出力されている現在のトータル抽気流量設定値との偏差が算出される。この偏差が負側偏差検出器７０４及び正側偏差検出器７０５に入力される。そして、偏差が負の場合は、負側偏差検出器７０４からトータル抽気流量設定器７０３へ流量設定増信号１０が出力される。一方、偏差が正の場合は、正側偏差検出器７０５から流量設定減信号１１が出力される。このようにして、抽気流量信号（需要分）９に応じてトータル抽気流量設定器７０３のトータル抽気流量設定値が変更される。
【００４３】
トータル抽気流量設定器７０３から出力されるトータル抽気流量設定値から、抽気一定運用の蒸気供給源の抽気総流量（Ｔ−４，Ｔ−ｎ，Ｔ−５）が減算器にて減算され、抽気変動運用の蒸気供給源の抽気総流量が算出される。そして、これに各抽気供給源の分配比Ｐ１，２…ｍが乗算され、抽気流量設定値７として各抽気供給源の抽気制御回路部１，２…ｍに入力される。
【００４４】
各抽気制御回路部１，２…ｍでは、入力された抽気流量設定値７と、図６に示した流量発信器（流量検出器）ＦＴ−Ｔ１，ＦＴ−Ｔ２，…ＦＴ−Ｔｍにて測定される抽気流量信号３との偏差に基づいて、抽気圧力設定器１２０ａ，１２０ｂ…１２０ｍの抽気圧力設定値を変更して前述したように、抽気蒸気流量を制御する。
【００４５】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４６】
１……抽気圧力信号、２……抽気加減弁開度指令信号、３……抽気流量信号、４……抽気ヘッダー圧力信号、５……圧力設定増信号、６……圧力設定減信号、７……抽気流量設定値、８……抽気流量信号（固定運用ユニット分）、９……抽気流量信号（需要分）、１０……流量設定増信号、１１……流量設定減信号、１００……蒸気発電プラント、１０１……抽気タービン、１０２……発電機、１０３……主蒸気配管、１０４……主蒸気加減弁、１１０……抽気配管、１１１……抽気加減弁、１１２……圧力発信器（圧力検出器）、１１３……タービン制御装置、１１４……抽気圧力制御回路、２００，２００ａ，２００ｂ，２００ｃ……蒸気発電プラント、２０１……流量発信器（流量検出器）、２０２……圧力発信器（圧力検出器）、２０３……抽気制御装置、２０４……抽気制御回路、２０５……抽気流量設定器、２０６……負側偏差検出器、２０７……正側偏差検出器。２０８……下限圧力検出器、２０９……上限圧力検出器、３００……共通抽気制御部、３０１……トータル抽気流量設定器、５００……ユニット分配比自動補正回路、５０１……変化率制限器、７００……抽気制御装置、７０１……加算器、７０２……制限器、７０３……トータル抽気流量設定器、７０４……負側偏差検出器、７０５……正側偏差検出器。
【図１】
0006875479.tif 000002
【図２】
0006875479.tif 000003
【図３】
0006875479.tif 000004
【図４】
0006875479.tif 000005
【図５】
0006875479.tif 000006
【図６】
0006875479.tif 000007
【図７】
0006875479.tif 000008
【図８】
0006875479.tif 000009
【図９】
0006875479.tif 000010